(57)【要約】【課題】定尺の光コードを必要時に繰出して光接続を行ない、不要時には光コードを巻取る光コード巻取り装置であって、光コード巻取りのための巻取りリールの外径を縮小可能とし、携帯用の小型機器内への内蔵が可能なコンパクトな構成のものを提供する。【解決手段】少なくとも一方の端部に光コネクタ１３ａ，１３ｂを備えた光コード１２を引出し可能に巻取り収納してなる光コード巻取り装置１１である。光コード１２の光ファイバは、波長１.３μｍにおけるモードフィールド径が８.８μｍ以下で、光ファイバのスクリーニングレベルが１.２％以上のものを用い、光コード１２を巻付ける円筒部の直径Ｄを３０ｍｍ〜４０ｍｍとする。また、波長１.３μｍにおけるモードフィールド径が７.０μｍ以下で、光ファイバのスクリーニングレベルが２.０％以上では、光コード１２を巻付ける円筒部の直径Ｄを１５ｍｍ〜３０ｍｍとする。【選択図】図１
2005156961.tif 000002
【特許請求の範囲】
【請求項１】
少なくとも一方の端部に光コネクタを備え、光コードを引出し可能に巻取り収納してなる光コード巻取り装置であって、
前記光コードの光ファイバは、波長１.３μｍにおけるモードフィールド径が８.８μｍ以下で、光ファイバのスクリーニングレベルが１.２％以上であり、前記光コードを巻付ける円筒部の直径が４０ｍｍ〜３０ｍｍであることを特徴とする光コード巻取り装置。
【請求項２】
少なくとも一方の端部に光コネクタを備え、光コードを引出し可能に巻取り収納してなる光コード巻取り装置であって、
前記光コードの光ファイバは、波長１.３μｍにおけるモードフィールド径が７.０μｍ以下で、光ファイバのスクリーニングレベルが２.０％以上であり、前記光コードを巻付ける円筒部の直径が３０ｍｍ〜１５ｍｍであることを特徴とする光コード巻取り装置。
【請求項３】
前記光コードの外被は、破断伸びが２００％以上、引張り強さ１０ＭＰａ以上の熱可塑性樹脂で、外径が２ｍｍ以下であることを特徴とする請求項１又は２に記載の光コード巻取り装置。
【請求項４】
前記光コードの外被は、ポリエステル系エラストマー、ポリオレフィン系エラストマー又はポリウレタン系エラストマーの何れかにより形成されていることを特徴とする請求項３に記載の光コード巻取り装置。
【請求項５】
前記光コードは、弾性率５Ｎ／デニール以上の抗張力繊維で補強されていることを特徴とする請求項１又は２に記載の光コード巻取り装置。
【請求項６】
前記光コードの外被の断面が扁平形状であり、その長径／短径比が１.５以上であることを特徴とする請求項１〜５のいずれか１項に記載の光コード巻取り装置。
【請求項７】
前記光コードを巻付ける円筒部の巻付け溝断面を、中央部が深い湾曲形状で形成したことを特徴とする請求項１又は２に記載の光コード巻取り装置。
【請求項８】
少なくとも一方の端部の１.３μｍにおけるモードフィールド径が、前記光コードの１.３μmにおけるモードフィールド径とは異なる値の７.０μｍ〜９.２μｍであることを特徴とする請求項１〜７のいずれか１項に記載の光コード巻取り装置。
【請求項９】
請求項１〜８のいずれか１項に記載の光コード巻取り装置を内蔵させ光通信手段を備えた情報機器。
【発明の詳細な説明】
【技術分野】
【０００１】
本発明は、所定長さの光コードにより光信号の送受を行なう情報機器の光接続に使用する光コード巻取り装置に関する。
【背景技術】
【０００２】
インターネット等の急速な普及により情報通信の高速化、情報量の増大に加え、最近では双方向通信と大容量通信の光ネットワークの構築が進展し、通信事業者と各家庭を直接光ファイバで結び超高速通信サービスを提供する、ＦＴＴＨ（Fiber To The Home）サービスが開始されている。このため、従来の導電線を用いた電話回線に加えて、光ファイバを用いた通信回線の使用が増えてきている。また、ノート型パソコン、携帯電話等の携帯型の小型情報機器等においても、光ファイバを用いた光通信が行なわれるようになってきている。
【０００３】
このため、光信号の送受が可能な機器等を光アウトレット等の信号送受口に、光ファイバで簡単に接続できることが要望されている。しかし、光ファイバの場合は、ガラスファイバを用いているため、許容曲げ径等に制限があり、導電線を用いて接続を行なう形態とは大きく異なる。
このような光学的に関連した機器間を接続するのに、導電コードを用いる場合と同様に、定尺の光ファイバを巻取りドラムに巻き付けて余長処理を行ない、光ファイバの両端に光コネクタを取付けて繰り出し、巻取る構成のものが知られている（例えば、特許文献１、特許文献２参照）。
【０００４】
図４は、上記特許文献１に開示の定尺光ファイバの巻取り装置を示す図である。１は光ファイバの収納体で、定尺の光ファイバ２が巻付けられる巻付けドラム５を、下部側の本体容器７と上部側の蓋容器７’からなる収納容器に収納している。本体容器７と蓋容器７’の双方には、開口窓３が形成されていて、光ファイバ２の一方の端部側が出入り可能に引出され、光ファイバ２の他方の端部側は蓋容器７’の中央に形成された開口から引出されている。光ファイバ２の端部には、それぞれ単心の光コネクタ９が取付けられ、互いに接続する機器側に設けられている光コネクタと接続される。
【０００５】
光ファイバ２の中間部分は、巻付けドラム５に巻付けられるとともに、蓋容器７’から引出される側の光ファイバの端部が固定具４により固定されている。また、巻付けドラム５の軸６は、巻取りハンドル８により外部から回動可能とされていて、回動により開口窓３から繰出されている光ファイバ２を、巻付けドラム５に巻取ることができるように構成されている。なお、光ファイバ２の外部への繰出しは、特許文献２に開示のように、光ファイバ２を直接引張ることにより巻付けドラム５上の光ファイバ２を繰出させ、光ファイバ２の収納時には、スプリング手段等を用いてロック解除で自動的に巻取る方法も知られている。
【特許文献１】特開平１１−２２３７５３号公報
【特許文献２】特開２００３−７３０３１号公報
【発明の開示】
【発明が解決しようとする課題】
【０００６】
特許文献１，２に開示の光ファイバ或いは光コードは、標準的なシングルモード光ファイバを対象としたもので、波長１.３μｍにおけるモードフィールド径は、９.２μｍ程度で、スクリーニングレベルも０.５％程度である。この標準的なシングルモード光ファイバは、伝送損失、破断寿命の観点から、通常、光ファイバの許容曲げ半径が３０ｍｍ以上とされ、巻取りドラムの巻取り直径は６０ｍｍ以上必要とされている。このため、定尺の光コードを必要に応じて繰出して光情報機器を接続するための光コード巻取り装置の小型化が難しかった。特に、携帯用のノート型パソコンや携帯電話等に組込んでおき、必要時に光コードを機器本体内から簡単に繰出して、光接続による情報の送受を行なうということも難しかった。また、光コードを直径３０ｍｍ以下に小さく収納すると、巻きぐせが強くつき、光コードを繰出したときに、取扱いにくいという不具合があった。
【０００７】
本発明は、上述した実情に鑑みてなされたもので、使用上の取扱いで支障となる巻ぐせや食い込みがなく、定尺の光コードを必要時に繰出して光接続を行ない、不要時には光コードを巻取る光コード巻取り装置を提供する。また、光コード巻取りのための巻取りリールの外径を縮小可能とし、全体を小型でコンパクト化し、携帯用の小型機器内への内蔵が可能で、従来のシングルモード光ファイバとの接続においても接続損失の増加を抑えた構成のものを提供する。
【課題を解決するための手段】
【０００８】
本発明による光コード巻取り装置は、少なくとも一方の端部に光コネクタを備えた光コードを引出し可能に巻取り収納してなる光コード巻取り装置である。光コードの光ファイバは、波長１.３μｍにおけるモードフィールド径が８.８μｍ以下で、光ファイバのスクリーニングレベルが１.２％以上のものを用い、光コードを巻付ける円筒部の直径を３０ｍｍ〜４０ｍｍで形成する。また、波長１.３μｍにおけるモードフィールド径が７.０μｍ以下で、光ファイバのスクリーニングレベルが２.０％以上のものを用い、光コードを巻付ける円筒部の直径を１５ｍｍ〜３０ｍｍで形成する。
【０００９】
また、光コードの外被は、外径が２ｍｍ以下で、破断伸びが２００％以上、引張り強さ１０ＭＰａ以上のポリエステル系エラストマー、ポリオレフィン系エラストマー又はポリウレタン系エラストマー等の熱可塑性樹脂で形成して、巻ぐせを生じにくくする。さらに、弾性率５Ｎ／デニール以上の抗張力繊維を縦添えして引張り強度を補強する。また、光コードの外被の断面が扁平形状であり、その長径／短径比が１.５以上とし、さらに、光コードを巻付ける円筒部の巻付け溝断面を、中央部が深い湾曲形状で形成して、光コードの食い込みが生じにくくする。
【発明の効果】
【００１０】
本発明によれば、光コードの巻取り径を従来の１／２〜１／４位にすることが可能となる。これにより、光コード巻取り装置を大幅に縮小することができ、可搬に適した小型なものとすることができ、また、携帯型の小型機器に内蔵させることも可能となり、使い勝手のよいものとすることができる。
【発明を実施するための最良の形態】
【００１１】
図１により本発明の実施の形態を説明する。図１（Ａ）は光コード巻取り装置の概略を説明する図、図１（Ｂ）は巻取りリールの一例を説明する図、図１（Ｃ）は光コードの例を説明する図である。図中、１１は光コード巻取り装置、１２は光コード、１２ａは光ファイバ心線、１２ｂはコード外被、１２ｃは抗張力繊維、１３ａ，１３ｂは光コネクタ、１４は装置筐体、１５は巻取りリール、１６，１７は光コネクタ収納部、１８はリール軸部、１９は引出し孔、２０は巻取り溝、２０ａは溝底部を示す。
【００１２】
本発明による光コード巻取り装置１１は、図１（Ａ）に一例として示すように、定尺の光コード１２の両端に光コネクタ１３ａ、１３ｂを有し、装置筐体１４内に回動可能に巻取りリール１５を配設して構成される。光コード１２の一方の端部（例えば、光コネクタ１３ｂ側）は、予め所定長さだけ巻取りリール１５のリール軸部１８の近傍に設けた引出し孔１９から引出されている。光コネクタ１３ｂは、光コード巻取り装置１１の不使用時には、巻取りリール１５の外面側に一体的に設けた光コネクタ収納部１７に挿入されて、保持される。
【００１３】
光コード１２の他方の端部（例えば、光コネクタ１３ａ側）は、巻取りリール１５から繰出されて外方に長く引出すことができる。また、引出された光コード１２を巻取りリール１５に巻取り、光コネクタ１３ａは、装置筐体１４の角部に設けた光コネクタ収納部１６に引き込んで収納保持することができる。したがって、光コード巻取り装置１１は、使用時には光コネクタ１３ａ側の光コード１２を繰出させて延ばし、光コネクタ１３ｂを光コネクタ収納部１７から外し、光接続を行なおうとする機器に、それぞれ光コネクタ１３ａと１３ｂを接続して光伝送を行なうことができる。
【００１４】
なお、光コード１２の繰出しと巻取り操作は、特許文献２にも開示のように、スプリング或いはラチェット機構等（図示せず）を用いて、光コード１２を引張ることにより巻取りリール１５を光コード繰出し方向への回動を許容するが、巻取り方向への回動をロックして、光コード１２の繰出し状態を維持する。光コード１２の収納時は、ロックを解除することにより、スプリングの付勢力で自動的に巻取りリール１５が光コード１２の巻取り方向に回動して、光コード１２を巻取り収納する。しかし、特許文献１のように、ハンドルを用いて、手動により巻取りリール１５を回動させる構成であってもよい。
【００１５】
本発明は上述した光コード巻取り装置１１で、光コード１２として最小曲げ半径が１５ｍｍ以下の光ファイバを用いる。この光ファイバは、波長１.３μｍにおけるモードフィールド径が８.８μｍ以下７.０μｍ以上で、光ファイバのスクリーニングレベルが１.２％以上であり、最小許容曲げ半径を１５ｍｍとしたものである。（例えば、住友電気工業製のシングルモード光ファイバ、「ＰｕｒｅＡｃｃｅｓｓ（商標名）」）。また、波長１.３μｍにおけるモードフィールド径が７.０μｍ以下４.０μｍ以上で、光ファイバのスクリーニングレベルが２.０％以上である場合は、最小許容曲げ半径を７.５ｍｍとしたものである（例えば、住友電気工業製のシングルモード光ファイバ、「ＵｌｔｒａＡｃｃｅｓｓ（商標名）」）。
【００１６】
前者の波長１.３μｍにおけるモードフィールド径が８.８μｍ以下で、スクリーニングレベルが１.２％以上の光ファイバを用いることにより、巻取りリール１５の巻取り直径Ｄを３０ｍｍとすることができる。この場合、従来の６０ｍｍ以上の巻取り直径を必要とした構成と比べて、１／２の巻取り径とすることができ、面積比では１／４以下の光コード巻取り装置１１とすることが可能となる。なお、この光ファイバを用いた場合、巻取りリール１５の巻取り直径Ｄは、３０ｍｍ〜４０ｍｍの範囲とするのが望ましい。
【００１７】
後者の波長１.３μｍにおけるモードフィールド径が７.０μｍ以下で、スクリーニングレベルが２.０％以上の光ファイバを用いることにより、巻取りリール１５の巻取り直径Ｄを１５ｍｍとすることができる。この場合、従来の６０ｍｍ以上の巻取り直径を必要とした構成と比べて、光コード巻取り装置１１を従来の１／４程度で、面積比では１／１６程度の大幅に縮小した大きさで形成することが可能となる。なお、この光ファイバを用いた場合、巻取りリール１５の巻取り直径Ｄは、１５ｍｍ〜３０ｍｍの範囲とするのが望ましい。
【００１８】
光コード１２は、図１（Ｃ−イ）に示すように、外径１２５μｍのガラス光ファイバに外径２５０μｍ以下で紫外線硬化型アクリレート樹脂により被覆した上述の特性を備えた光ファイバ心線１２ａを、ゴム弾性を有するエラストマー樹脂からなるコード外被１２ｂで被覆して、強度補強したものが用いられる。この光コード１２は、コード外被１２ｂを直接掴んで引出したりする操作が予想される。このため、コード外被１２ｂとしては、可撓性に優れていると共に、破断伸びが２００％以上で、引張り強さが１０ＭＰａ以下の熱可塑性樹脂で、外径が０.９ｍｍ以上、２.０ｍｍ以下で形成されているのが望ましい。
【００１９】
光コード１２の巻取り直径を上述のように小さくすると、従来は、問題とならなかった光ファイバ心線１２ａを保護しているコード外被１２ｂによる巻ぐせが残りやすくなる。巻ぐせが残ると、巻取りリール１５から光コード１２を繰出した際に、光コード１２がカールしてしまい、取扱いが面倒になる。そこで、本発明では、巻ぐせが生じにくい樹脂を用いる必要がある。また、光コード１２は、巻取りリール１５に巻取られた状態で、コード外被１２ｂが互いに融着して繰出しがしにくくなるのを防止する必要がある。このため、コード外被１２ｂは、少なくとも７０℃、圧力１ＭＰａ以下の環境下で自己融着しない特性を備えていることが望ましい。
【００２０】
具体的には、光コード１２の外被のゴム弾性を有するエラストマー樹脂としては、ポリエステル系エラストマーでは、例えば、東レ・デュポン株式会社製の「ハイトレル４７６７…商品名」、ポリウレタン系エラストマーでは、ＢＡＳジャパン株式会社製の「エストランＣ８５Ａ１０２４Ａ、１１９５Ａ１０Ｆ１…商品名」、ポリオレフィン系エラストマーでは、リケンテクノス株式会社製の「ＴｒｉｎｉｔｙＦＲのＡＮＡ９９２４Ａ、ＡＮＡ９９２１Ｎ…商品名」などを使用することにより、適度な可撓性を有する光コードを得ることができる。
【００２１】
また、光コード１２は、図１（Ｃ−ロ）に示すように、光ファイバ心線１２ａとコード外被１２ｂの間に抗張力繊維１２ｃを縦添えすることにより、光コード１２の破断伸びと引張り強さをより高めることができる。これにより、光コード１２を電線コードと同等の感覚で、繰出したり巻取ったりすることが可能となる。抗張力繊維１２ｃとしては、弾性率５Ｎ／デニール以上のものが望ましく、例えば、アラミド繊維が使用される。
【００２２】
光コード１２の長さは、通常、１ｍ程度が想定される。この場合、巻取りリール１５の巻取り直径Ｄを３０ｍｍとすると、１０ターン程度巻く必要がある。ここで、例えば、巻取りリール１５の巻取り溝２０の溝幅Ｗを５ｍｍとし、光コード１２の外径が１ｍｍとすると、大体、２層に巻くだけですむ。また、巻取りリール１５の巻取り直径Ｄを１５ｍｍとすると、２０ターン程度巻く必要があるが、例えば、巻取りリール１５の巻取り溝２０の溝幅Ｗを１０ｍｍとすれば２層に巻くだけですむが、溝幅を５ｍｍとすれば、４層巻く必要がある。
【００２３】
２層程度で巻かれる場合は、光コードが巻層に食い込んで繰出しができなくなるというようなことはないが、３層以上で巻取るような場合は、光コード１２の外径と溝幅Ｗとの関係で、食い込みが生じることがある。そこで、図１（Ｃ−ハ）に示すように、コード外被１２ｂを平型形状で形成することにより、光コード１２の食い込みを防止することができる。なお、コード外被１２ｂの断面における長径／短径が、１.５以上であると、食い込みのない安定した繰出しと巻取りを行なうことができる。
【００２４】
また、図１（Ｂ）に示すように、巻取り溝２０の溝底部２０ａを中央部が深い湾曲形状とすることにより、光コード１２の食い込みを軽減することができる。この場合、巻取られる光コード１２は、巻層毎に巻数が異なるランダムな状態で巻取られるためと考えられるが、整列状態できっちり巻取られる場合と比べて、繰出しと巻取りがスムーズになる。
【００２５】
上述した光コード１２には、モードフィールド径が標準のものより小さくされたものが用いられる。このため、本発明による光コード巻取り装置を用いて、光機器あるいは光伝送路との光接続を行なう場合、例えば、接続する光伝送路の光ファイバが標準のシングルモード光ファイバであるとする。標準のシングルモード光ファイバの１.３μｍにおけるモードフィールド径は、通常９.２μｍ前後であるので、本発明の光コード巻取り装置に用いる光ファイバとは、モードフィールド径が相違することとなる。また、逆に光機器あるいは光伝送路が、光コード１２の１.３μｍにおけるモードフィールド径（例えば、８μｍとする）より小さい７.０μｍ前後である場合もある。
【００２６】
互いに接続される光ファイバのモードフィールド径に差があると、伝送損失が増加するということが知られている。この伝送損失増加を回避するために、モードフィールド径に差がある光ファイバ同士の接続に際して、小さい側のモードフィールド径を加熱処理により拡大して、大きい側のモードフィールド径に整合させる。または、光コネクタの接続端のモードフィールド径を拡大するなどして接続損失を抑えている。
【００２７】
図２は、光コネクタの接続端における光ファイバのモードフィールド径を拡大させる例を説明する概略図である。図２（Ａ）は光コードの光ファイバ端のモードフィールド径を直接拡大した例を示す図、図２（Ｂ）は光コードの光ファイバ端にモードフィールド径の異なる光ファイバを融着した例を示す図である。図中、２１，２１’はガラス光ファイバ、２１ａは融着接続部、２２，２２’はコア部、２２ａは拡大部、２３，２３’はクラッド部、２４はファイバ被覆、２５はフェルール、２５ａはフェルール端面、２５ｂは光ファイバ孔、２５ｃはファイバ挿入孔、２６は保持金具、２７は接着剤を示す。
【００２８】
図２（Ａ）に示すように、本発明の光コード１２の光ファイバとしてガラス光ファイバ２１は、コア部２２とクラッド部２３からなり、外周面をファイバ被覆２４により保護されている。ガラス光ファイバ２１の先端部は、熱処理によりコア部２２のモードフィールド径が拡大された拡大部２２ａで形成され、標準のモードフィールド径に整合させることができる。接続する相手側の光ファイバのモードフィールド径が、本発明で用いる光ファイバのモードフィールド径より小さい場合は、次の図２（Ｂ）で説明する方法を用いることができる。なお、接続先の光ファイバのモードフィールド径が同程度であれば、このようなモードフィールド径の拡大が不要であることはもちろんである。
【００２９】
光コネクタは、保持金具２６を取付けたフェルール２５内にガラス光ファイバ２１を装着して構成される。フェルール２５には、フェルール端面２５ａ側にガラス光ファイバ２１の先端部を装着する細径の光ファイバ孔２５ｂが形成され、その後方にファイバ被覆２４が挿入し得る径の太径のファイバ挿入孔２５ｃが形成されている。細径の光ファイバ孔２５ｂは、ガラス光ファイバ外径（通常の光ファイバは１２５μｍ）より僅かに（数μｍ以下）大きな孔径で、挿着の位置決めが行なわれる。ファイバ挿入孔２５ｃ内には、接着剤２７を充填され接着固定される。接着剤２７は、光ファイバ孔２５ｂとガラス光ファイバ２１との間隙、及び、ファイバ挿入孔２５ｃとファイバ被覆２４との間隙、並びに保持金具２６の貫通孔とファイバ被覆２４との間隙にも浸透して、フェルール２５と光ファイバ心線１２ａとを接着一体化している。
【００３０】
図２（Ｂ）は、本発明の光コード１２の光ファイバとしてガラス光ファイバ２１の先端部に、モードフィールド径の異なるコア部２２’とクラッド部２３’からなるガラス光ファイバ２１’を融着接続する。その融着接続部２１ａを加熱処理してモードフィールド径が連続的に変化するように整合し、損失増加が生じないようにする。この構成は、先端部に接続するガラス光ファイバ２１’を接続先のモードフィールド径に合わすことができるので、接続する相手側の光ファイバのモードフィールド径が、本発明で用いる光ファイバのモードフィールド径より小さい場合にも対応させることができる。
【００３１】
図３は、本発明による光コード巻取り装置を、パソコン等の情報機器に組み込んで使用する例を示した図である。ノート型パソコン或いは携帯電話のような小型の携帯機器は、例えば電子メールの送受は無線を使って行なうことが多い。しかし、情報量の大きいファイルやセキュリティの高い情報に対しては、光ファイバを用いた送受が必要となる。この場合、図１で示した光コード巻取り装置１１を、そのまま情報機器内に組込んで内蔵させることが望まれる。
【００３２】
本発明では、上述したように光コードの外径は、大よそ２ｍｍ以下で、巻取りドラムへの巻直径を３０ｍｍ或いは１５ｍｍとすることが可能であるため、引出し長さを２ｍ程度としても、装置筺体の外径寸法を４０ｍｍ程度に抑えることができ、また、厚さ寸法も１２ｍｍ以下にすることができる。この寸法であれば、ノート型パソコンにも十分組込みが可能となる。
【００３３】
上述の如く情報機器Ｐ内に組込まれた光コード巻取り装置１１は、一方の光コネクタ１３ｂを機器内の電気／光変換部にあらかじめ接続しておき、光信号と電気信号の相互変換が行なわれるようにしておく。他方の光コネクタ１３ａは、情報機器Ｐ内から引出して、例えば、光接続が可能な公衆電話を利用したり、事務所等の光コンセント等に通常の導電線をも用いた電話線の接続と同様な感覚で接続することができる。
【図面の簡単な説明】
【００３４】
【図１】本発明による光コード巻取り装置の実施形態の概略を説明する図である。
【図２】本発明で用いる光コネクタの一例を説明する図である。
【図３】本発明による光コード巻取り装置を、携帯機器内に内蔵させた例を説明する図である。
【図４】従来の光コード巻取り装置の例を説明する図である。
【符号の説明】
【００３５】
１１…光コード巻取り装置、１２…光コード、１２ａ…光ファイバ心線、１２ｂ…コード外被、１２ｃ…抗張力繊維、１３ａ，１３ｂ…光コネクタ、１４…装置筐体、１５…巻取りリール、１６、１７…光コネクタ収納部、１８…リール軸部、１９…引出し孔、２０…巻取り溝、２０ａ…溝底部、２１，２１’…ガラス光ファイバ、２１ａ…融着接続部、２２，２２’ …コア部、２２ａ…拡大部、２３，２３’…クラッド部、２４…ファイバ被覆、２５…フェルール、２５ａ…フェルール端面、２５ｂ…光ファイバ孔、２５ｃ…ファイバ挿入孔、２６…保持金具、２７…接着剤。
【図１】
2005156961.tif 000003
【図２】
2005156961.tif 000004
【図３】
2005156961.tif 000005
【図４】
2005156961.tif 000006